(57)【要約】【課題】手摺壁用パネルの軽量化が可能で、交換を容易にかつ短時間に行う。【解決手段】床部躯体の外側部に複数のベランダ支柱１１を立設し、床部躯体１０の外側部を覆う化粧カバー材１６を設け、ベランダ支柱１１間で化粧カバー１６上にタイルパネルＰ１を設置する手摺壁用タイルパネルの取付装置であって、タイルパネルＰ１は、ガラス繊維含有コンクリート製の壁本体１と、壁本体１の表面に一体に形成されたタイル表装部２と、壁本体１の左右側辺に全長にわたって厚み方向の全体を埋め込まれかつ外側部に被嵌合部を有する側枠材３Ｒ，３Ｌとを具備し、ベランダ支柱１１に、左右の側枠材３Ｒ，３Ｌの被嵌合部にそれぞれスライド自在に嵌合する縦レール材２１を設け、化粧カバー材１６上に、タイルパネルＰ１の下辺部に外嵌して支持するパネル受け材を設けた。【選択図】        図４
2006183246.tif 000002
【特許請求の範囲】
【請求項１】
床部躯体の外側部に沿って所定間隔をあけて複数の支柱材を立設し、前記支柱材を含む床躯体の外側部を覆うカバー材を設け、前記支柱材間でカバー材上に矩形板状のタイルパネルを設置する手摺壁用タイルパネルの取付装置であって、
前記タイルパネルは、ガラス繊維含有コンクリート製の壁本体と、前記壁他体の表面に一体に形成されたタイル表装部と、前記壁本体の左右側辺に全長にわたって厚み方向の全体を埋め込まれかつ外側部に被嵌合部を有する側枠材とを具備し、
前記支柱材に、左右の側枠材の前記被嵌合部にそれぞれスライド自在に嵌合する縦レール材を設け、
前記カバー材上に、タイルパネルの下辺部に外嵌して支持するパネル受け部材を設けた
手摺壁用タイルパネルの取付装置。
【請求項２】
支柱材間にタイルパネルを上下複数段に並設し、
互いに隣接するタイルパネルの前記壁本体の上辺または／および下辺の全長にわたって、外側部にガイド溝を有する連結枠材を厚み方向の全体を埋め込んで設け、
上下のタイルパネル間に前記連結枠材の前記ガイド溝に嵌合され、かつ上下のタイルパネル間の隙間を閉鎖するパネル連結材を介在させた
請求項１記載の手摺壁用タイルパネルの取付装置。
【請求項３】
床部躯体の外側部に沿って所定間隔をあけて立設された支柱材間に、矩形板状のタイルパネルを床部躯体の外側部を覆って設置する手摺壁パネルの取付装置であって、
前記タイルパネルは、ガラス繊維含有コンクリート製の壁本体と、前記壁他体の表面に一体に形成されたタイル表装部と、壁本体の左右の側辺に沿って全長にわたって厚み方向の全体に埋め込まれ外側部に被嵌合部を有する側枠材と、前記壁本体の下辺に沿って全長にわたって厚み方向の全体に埋め込まれた支持枠材と、前記支持枠材の上部の壁本体の背面に支持枠材と平行に厚み方向の全体が埋め込まれた中間取付枠材とを具備し、
前記支柱材に、左右の側枠材の前記被嵌合部にそれぞれスライド自在に嵌合する縦レール材を設けるとともに、下端側にタイルパネルの支持枠材を下方から支持するパネル支持具を設け、
前記支柱材間で前記中間取付枠材に連結されてタイルパネルを保持する連結支持部材を設けた
手摺壁用タイルパネルの取付装置。
【請求項４】
側枠材は、内側面に形成されてガラス繊維含有コンクリートが充填される充填凹部と、前記充填凹部内で凝固したガラス繊維含有コンクリートと枠材とを抜け止めする抜け止め突部とが形成された
請求項１乃至３のいずれかに記載の手摺壁用タイルパネルの取付装置。
【発明の詳細な説明】
【技術分野】
【０００１】
本発明は、ガラス繊維含有コンクリート製の軽量乾式のタイルパネルを、ベランダや廊下の手摺壁として取り付ける手摺壁用タイルパネルの取付装置に関する。
【背景技術】
【０００２】
従来、タイル貼りの手摺壁は、ベランダや渡り廊下の躯体の外側部に、複数の支柱や補強部材を立設配置し、コンクリートを打設して手摺壁を構築し、この手摺壁の外面にタイルを貼り付ける湿式タイル貼りの手摺壁が知られている。このタイル貼りの手摺壁では、部分的にタイルが剥がれ落ちると、足場を組立てて、剥れ落ちたタイル部分を張り替える作業が行われるが、足場を必要とすることから、メンテナンスコストが高く、メンテナンス工期が長引くという問題がある。
【０００３】
またＡＬＣパネルをベランダの手摺壁として取り付けるものが特許文献１に開示されている。この手摺壁は、ベランダ床の先端のパラペット部に支柱を立設固定し、前記支柱にＡＬＣパネルに形成された貫通穴を挿通固定するものである。
【０００４】
ところで、近年、たとえば特許文献２のように、ガラス繊維補強コンクリート製の壁本体の表面に外装仕上げ材であるタイルを取り付けた乾式の壁パネルを、手摺壁として利用することも考えられる。
【特許文献１】特開平１１−２００４７９号公報（図３，図４）
【特許文献２】特許第２８６９００５号公報
【発明の開示】
【発明が解決しようとする課題】
【０００５】
しかし、特許文献１では、支柱が貫通する貫通穴を形成することから、パネルに厚みが必要で、手摺壁およびベランダ床の軽量化が図れないという問題があった。
また特許文献２の壁パネルは、裏面に外周フレームの一部（Ｌ字断面のフランジ部分）を埋め込み、外周フレームを角形鋼管柱にボルト・ナットを介して取り付け、外周フレーム内に断熱材を充填するものであり、内面側には下地材を介して内装板が取り付けられている。したがって、このような取付構造では、壁パネルを手摺壁として、メンテナンス時のパネル交換に時間とコストが必要となる。
【０００６】
本発明は上記問題点を解決して、手摺部の軽量化が可能で、メンテナンス時にタイルパネルの交換を容易にかつ短時間に行える手摺壁用タイルパネルの取付装置を提供することを目的とする。
【課題を解決するための手段】
【０００７】
請求項１記載の発明は、床部躯体の外側部に沿って所定間隔をあけて複数の支柱材を立設し、前記支柱材を含む床躯体の外側部を覆うカバー材を設け、前記支柱材間でカバー材上に矩形板状のタイルパネルを設置する手摺壁用タイルパネルの取付装置であって、前記タイルパネルは、ガラス繊維含有コンクリート製の壁本体と、前記壁他体の表面に一体に形成されたタイル表装部と、前記壁本体の左右側辺に全長にわたって厚み方向の全体を埋め込まれかつ外側部に被嵌合部を有する側枠材とを具備し、前記支柱材に、左右の側枠材の前記被嵌合部にそれぞれスライド自在に嵌合する縦レール材を設け、前記カバー材上に、タイルパネルの下辺部に外嵌して支持するパネル受け部材を設けたものである。
【０００８】
請求項２記載の発明は、支柱材間にタイルパネルを上下複数段に並設し、互いに隣接するタイルパネルの前記壁本体の上辺または／および下辺の全長にわたって、外側部にガイド溝を有する連結枠材を厚み方向の全体を埋め込んで設け、上下のタイルパネル間に前記連結枠材の前記ガイド溝に嵌合され、かつ上下のタイルパネル間の隙間を閉鎖するパネル連結材を介在させたものである。
【０００９】
請求項３記載の発明は、床部躯体の外側部に沿って所定間隔をあけて立設された支柱材間に、矩形板状のタイルパネルを床部躯体の外側部を覆って設置する手摺壁パネルの取付装置であって、前記タイルパネルは、ガラス繊維含有コンクリート製の壁本体と、前記壁他体の表面に一体に形成されたタイル表装部と、壁本体の左右の側辺に沿って全長にわたって厚み方向の全体に埋め込まれ外側部に被嵌合部を有する側枠材と、前記壁本体の下辺に沿って全長にわたって厚み方向の全体に埋め込まれた支持枠材と、前記支持枠材の上部の壁本体の背面に支持枠材と平行に厚み方向の全体が埋め込まれた中間取付枠材とを具備し、前記支柱材に、左右の側枠材の前記被嵌合部にそれぞれスライド自在に嵌合する縦レール材を設けるとともに、下端側にタイルパネルの支持枠材を下方から支持するパネル支持具を設け、前記支柱材間で前記中間取付枠材に連結されてタイルパネルを保持する連結支持部材を設けたものである。
【００１０】
請求項４記載の発明は、側枠材は、内側面に形成されてガラス繊維含有コンクリートが充填される充填凹部と、前記充填凹部内で凝固したガラス繊維含有コンクリートと枠材とを抜け止めする抜け止め突部とが形成されたものである。
【発明の効果】
【００１１】
請求項１記載の発明によれば、床部躯体の外側部に立設された支柱材間に、支柱材に取り付けられた縦レール材に沿ってタイルパネルを上方からスライドさせて嵌め込み、タイルパネルの下辺部をカバー材上のパネル受け材に支持させることで、床部躯体の支柱材間でカバー材上にタイルパネルを容易かつ短時間で組立てることができる。またタイルの一部が剥れた場合でも、タイルパネルを縦レール材の間から抜き出すだけで容易に取り外して交換することができ、足場を不要にできてメンテナンスコストを大幅に削減することができる。さらにタイルパネルの両側部に、側枠材が厚み方向の全体を埋め込まれることで、タイルパネルの強度を向上させて薄肉化が可能となり、また薄肉としてもタイルパネルのソリや変形を防止して、精度のよく手摺壁用のタイルパネルを組み立てることができる。
【００１２】
請求項２記載の発明によれば、上下に隣接する辺にガイド溝を有する連結枠材を厚み方向の全体を埋め込んで、上下段のタイルパネル間にそれぞれの連結枠材を介在させ、これら連結枠材のガイド溝にそれぞれ嵌合するパネル連結材によりタイルパネルを上下段に良好に連結することができる。
【００１３】
請求項３記載の発明によれば、床部躯体の外側部に立設された支柱材間に、支柱材に取り付けられた縦レール材に沿って、タイルパネルを上方からスライドさせて嵌め込み、支柱材下端部のパネル支持具に支持枠材を介して支持させるとともに、中間取付枠材をパネル連結材を介して連結することで、床部躯体の外側部を覆うタイルパネルを容易かつ短時間で組立てることができる。またタイルの一部が剥れた場合でも、タイルパネルを縦レール材に沿って上方に抜き出すだけで容易に取り外して交換することができ、足場を不要にできてメンテナンスコストを大幅に削減することができる。またタイルパネルには、側枠材、支持枠材およびパネル連結材が厚み方向の全体を埋め込まれているので、強度を向上させて薄肉化が可能となり、薄肉としてもソリや変形を防止して、精度のよく手摺壁用のタイルパネルを組み立てることができる。
【００１４】
請求項４記載の発明によれば、側枠材に充填凹部と抜け止め突部とを形成したので、壁本体と側枠材とを強固に一体化でき、タイルパネルの高強度化と薄肉軽量化に寄与することができる。
【発明を実施するための最良の形態】
【００１５】
［実施の形態１］
以下、本発明に係るベランダ手摺壁用のタイルパネル取付装置の実施の形態を図１〜図１１に基づいて説明する。
【００１６】
このベランダ手摺壁は、図１に示すように、床部躯体１０の外側部に所定間隔をあけて複数のベランダ支柱（支柱材）１１が立設され、ベランダ支柱１１間に上下２段に嵌め込まれたタイルパネルＰ１と、縦桟型パネルＰ０が取り付けられている。
【００１７】
まずタイルパネルＰ１について説明する。図２に示すように、ガラス繊維含有コンクリートからなる矩形状の壁本体１と、壁本体１の表面に一定の目地溝をあけて多数のタイル２ａが埋め込まれたタイル表装部（外装材）２と、壁本体１で対抗する左右の側辺にそれぞれ全長にわたって厚み方向の全体が埋め込まれた側枠材３Ｒ，３Ｌと、設置時に突合せとなる上下のの辺一方に全長にわたって厚み方向の全体が埋め込まれた連結枠材３Ｕと、壁本体１の裏面に他の部位より厚く形成された補強部４とが設けられている。
【００１８】
前記補強部４は、背面と外側面が露出するように側枠材３Ｒ，３Ｌが埋め込まれた縦辺補強部４ｒ，４ｌと、前後の辺に沿ってそれぞれ形成されかつ一方の辺に背面と外側面が露出するように連結枠材３Ｕが埋め込まれた横辺補強部４ｕ，４ｄと、横辺補強部４ｕ，４ｄの中央部を連結する縦方向の中央補強部４ｓとで構成され、これら各補強部４は、残部の薄肉部１ａから傾斜面を介して突出されている。また中央補強部４ｓには、タイルパネルＰ１を倒れ止めするための複数の転倒防止用ナット５が埋め込まれている。
【００１９】
前記側枠材３Ｒ，３Ｌと連結枠材３Ｕとは同一形状で、引抜き成形された直状断面（同一断面形状）のアルミ合金製型材により構成されており、図３〜図６に示すように、内側面でガラス繊維含有コンクリート１ａが充填される充填凹部３１と、前記充填凹部３１内で凝固したガラス繊維含有コンクリート１ａを抜け止めする抜け止め突部３２と、外側面に形成されてこのタイルパネルＰ１の組み付け時に使用されるガイド溝３３および被係合部３７とを具備している。
【００２０】
すなわち各枠材３Ｒ，３Ｌ，３Ｕは、タイル表装部２の裏面に面する基板部３４と、基板部３４の裏面に垂設された垂直板部３５と、垂直板部３５の先端から内面側に折り曲げられ背面に露出されて基板部３４に平行な背面板部３６とにより、内側面が開口された充填凹部３１が形成される。また基板部３４と背面板部３６の先端部内側に沿って抜け止め突部３２がそれぞれ突設されている。さらにガイド溝３３は、前記垂直板部３５が基板部３４側で基板部３４と平行に内側に突出された折り曲げ部３５ａと基板部３４との間に形成されて外側面に開口するように形成されている。そして充填凹部３１の反対側（外側面）に、折り曲げ部３５ａと垂直板部３５と背面板部３６からなる被係合部３７が形成されている。
【００２１】
ここでタイルパネルＰ１の寸法形状を説明すると、図４に示すように、たとえば外装用タイル２ａの厚み：Ｔ（７ｍｍ）とすると、壁本体１ａの厚み：ｔ１＝Ｔ×１．０〜１．５（７〜１０．５ｍｍ）の範囲に形成され、また各補強部４ｒ，４ｌ，４ｕ，４ｄ，４ｓの厚み：ｔ２＝Ｔ×２．３〜２．９（１６．１〜２０．３ｍｍ）の範囲に形成されている。これは、ｔ１＞Ｔ×１．０、ｔ２＞Ｔ×１．８では、タイルパネルＰ１の十分な強度が確保されないためであり、ｔ１＜Ｔ×１．５、ｔ２＜Ｔ×２．２では、タイルパネルＰ１の重量が大きくなりすぎて、施工性が低下するためであり、また補強部４ｒ，４ｌ，４ｕ，４ｄ，４ｓの厚み：ｔ２と枠材３Ｒ，３Ｌ，３Ｕの厚み方向の高さとは同一に設定されている。さらに枠材を有しない下辺部の厚みｔ３＝Ｔ＋ｔ１＋ｔ２である。またタイルパネルＰ１の大きさは、たとえば幅約２．０ｍ、高さ約０．５ｍで、１枚当りの重量は約１５ｋｇ程度である。
【００２２】
ついで、パネル取付装置について説明する。
図７，図８に示すように、鉄筋やフレームなどが内在されたコンクリート製の床部躯体１０に支柱取付用の複数のアンカーボルト１２が植設されており、一方ベランダ支柱１１の下部に、床部躯体１０の外面に当て付けられる垂直取付部１３ａと、水平支持部１３ｂとからなるアングル状の連結具１３が固着され、前記垂直取付部１３ａのボルト穴にアンカーボルト１２が嵌合されてナットにより固定される。またベランダ支柱１１で連結具１３の上部前面には、アングル状のカバー受け具１４が固定され、前記水平支持部１３ｂに貫設されたレベル調整ボルト１５によりカバー受け具１４が下方から位置規制されている。
【００２３】
前記カバー受け具１４上には、床部躯体１０の外側面を覆いベランダ支柱用の切欠き部を有する化粧カバー材（カバー材）１６が取り付けられる。さらに各ベランダ支柱１１には、支柱用切欠き部を覆う樹脂製の切欠きカバー具１８が嵌合配置され、さらにベランダ支柱１１に外嵌される左右一対の支柱カバー材１７が設けられる。また図１０に示すように、ベランダ支柱１１は上端部で固定具２２により縦レール材２１が固定されている。
【００２４】
前記タイルパネルＰ１を直接取り付ける構成部材は、図９に示すように、支柱カバー材１７に固定される縦レール材２１と、両端が支柱カバー材１７間に固定され前部にパネル受け部（パネル受け材）１９ａを有する下枠材９と、両端が支柱カバー材１７間に固定された上枠材２３に取り付けられてタイルパネルＰの上辺を覆う上辺カバー材２４（図１１）である。支柱カバー１７の上端部間には笠木受け材２５を介して笠木材２６が取り付けられる。また下枠材１９と上枠材２３の間の中央部には、連結ボルト２８を介して転倒防止用ナット５に連結される縦桟材２７が設けられている。
【００２５】
前記カバー材１７は、前（後）面と側面とを有するＬ形の型材からなる対称直状断面で、一対が縁部の係合部が互いに組み合されて矩形状断面に形成されベランダ支柱１１に外嵌されている。
【００２６】
前記縦レール材２１は、図５に示すように、正面板５１と前後板５２と背面板５３とで内側面が開口されて側枠材３Ｒ，３Ｌの被嵌合部３７に外嵌される嵌合空間５４を具備し、前記背面板５３と背面板５３の後端から背面側に直角に折り曲げられた取付板５５が、支柱カバー材１７の前面と側面とに当て付けられて連結具（リベット）５６により固定されている。５７は正面板５１の先端部から背面側に折り曲げられたずれ止め部である。
【００２７】
また上下タイルパネルＰ１，Ｐ１の連結部に介在されるパネル連結材４１は、図６に示すように、互いに平行な正面閉鎖板４２および背面受板４３と、正面閉鎖板４２と背面受板４３とを連結する中間連結板４４からなる略Ｈ形断面に形成されている。正面閉鎖板４２は、上下タイルパネルＰ１，Ｐ１のガイド溝３３に嵌合され、上下タイルパネルＰ１，Ｐ１間の隙間（目地溝２ｂと同一間隔）を閉鎖する。そして、正面閉鎖板４２の上下先端部には、ガイド溝３３に密に嵌合するずれ止め突部４７Ｕ，４７Ｄが背面側に形成されている。また背面受け板４３は、先端部で正面側に折り曲げられた背面受部４８Ｕ，４８Ｄが形成され、垂直板部３５の外面に当接して上下のタイルパネルＰ１の間隔を保持するとともに、上タイルパネルＰ１の荷重を支持している。
【００２８】
上記タイルパネルＰ１をベランダ手摺壁に取り付ける手順を説明する。
図７，図８に示すように、床部躯体１０のアンカーボルト１２に連結具１３を介してベランダ支柱１１を立設固定する。そして連結具１３にカバー受け具１４を配置し、カバー受け具１４上に化粧カバー材１６を配置し、レベル調整ボルト１５により化粧カバー材１６の水平レベルを調整した後、カバー受け具１４をベランダ支柱１１に固定する。
【００２９】
図９に示すように、分離状態の左右の支柱カバー材１７に縦レール材２１を下枠材１９および上枠材２３、笠木受け材２５により連結するとともに、縦桟材２７を取り付けて矩形枠に形成し、ベランダ支柱１１間に、支柱カバー材１７を介して前記矩形枠をそれぞれ上方から嵌め込んで、左右の支柱カバー材１７を連結し、さらにベランダ支柱１１の上端部で固定具２２により支柱カバー材１７，１７を固定する。
【００３０】
次いで、下段タイルパネルＰ１をまず横枠材３Ｕが上部となるように配置し、左右の側枠材３Ｒ，３Ｌの被係合部３７を上方から縦レール材２１，２１の嵌合空間５４に嵌め入れ、下方にスライドさせて下段タイルパネルＰ１の下辺部を下枠材１９のパネル受け１９ａに嵌合する。次いで、図１０に示すように、パネル連結材４１の正面閉鎖板４２の下部を、下段タイルパネルＰ１の横枠材３Ｕのガイド溝３３に嵌合して配置する。
【００３１】
さらに上段タイルパネルＰ１を横枠材３Ｕが下部となるように配置し、左右の側枠材３Ｒ，３Ｌの被係合部３７を上方から縦レール材２１，２１の嵌合空間５４に嵌め入れ下方にスライドさせる。そして横枠材３Ｕのガイド溝３３にパネル連結材４１の正面閉鎖板４２を嵌合して設置する。
【００３２】
さらに図１１に示すように、上段タイルパネルＰ１の上辺に嵌合された上辺カバー材２４を上枠材２３にビス止めする。次いで笠木受け材２５に手摺用の笠木材２５を取り付ける。
【００３３】
上記実施の形態によれば、床部躯体１０の外側部に立設されたベランダ支柱１１間に、ベランダ支柱１１に支柱カバー１７を介して取り付けられた縦レール材２１に沿って、タイルパネルＰ１を上方から差し込んで下方にスライドさせ、下枠材１９のパネル受け部１９ａに嵌め込むことで、床部躯体１０の外側部の化粧カバー材１６上にタイルパネルＰ１を容易かつ短時間で組立てることができる。またタイル２ａの一部が剥れた場合でも、タイルパネルＰ１を縦縦レール材２１に沿って上方に抜き出すだけで容易に取り外しすることができ、足場を不要にできてメンテナンスコストを大幅に削減することができる。またタイルパネルＰ１には、側枠材３Ｒ，３Ｌと横枠材３Ｕとを埋め込むことで、タイルパネルＰ１強度を向上させ、薄肉化が可能となり、かつソリや変形の無い高精度な手摺壁用のタイルパネルＰ１を組立てることができる。
【００３４】
なお、実施の形態１でタイルパネルＰ１を上下２段に設置したが、単体で構成しても良く、また３段以上に配置してもよい。３段の場合、中間のタイルパネルＰ１には、上辺と下辺とに横枠材３Ｕが埋め込まれることになる。
【００３５】
［実施の形態２］
本発明に係るベランダ手摺壁用のタイルパネル取付装置の実施の形態２を図１２〜図２０を参照して説明する。なお、実施の形態１と同一部材には同一符号を付して説明を省略する。
【００３６】
この軽量乾式タイルパネルＰ２は、図１２に示すように、床部躯体８０の外側面に立設されたベランダ支柱（支柱材）８１間に複数枚が立設され、床部躯体８０の外側面が覆われている。このタイルパネルＰ２は、図１３に示すように、ガラス繊維含有コンクリートからなる矩形状の壁本体１と、壁本体１の表面に一定の目地溝をあけて多数のタイル２ａが埋め込まれたタイル表装部（外装材）２と、壁本体１の少なくとも互いに対抗する左右の側辺にそれぞれ全長にわたって厚み方向の全体が埋め込まれた側枠材３Ｒ，３Ｌと、下辺に全長にわたって厚み方向の全体が埋め込まれた支持枠材３Ｄと、支持枠材３Ｄから所定距離離れて下辺と平行に配置された中間取付枠材３Ｓと、壁本体１の裏面に他の部位より厚く形成された補強部４とが設けられている。
【００３７】
前記補強部４は、背面と外側面が露出するように側枠材３Ｒ，３Ｌが埋め込まれた縦辺補強部４ｒ，４ｌと、上下辺の一方に背面と外側面が露出するように支持枠材３Ｄが埋め込まれた上下辺補強部４ｕ，４ｄと、下辺補強部４ｄの上方で背面が露出するように中間取付枠材３Ｓが埋め込まれた中間補強部４ｔとで構成され、これら各補強部４は、残部の薄肉部１ａから傾斜面を介して突出されている。前記側枠材３Ｒ，３Ｌは、先の実施の形態と同一に形成されている。
【００３８】
また前記支持枠材３Ｄは、図１４，図１６，図１７に示すように、前面板６１ａがタイル表装部２の背面に面し、外側面板６１ｄと背面板６１ｂが下辺補強部４ｄの底面と背面にそれぞれ露出される矩形断面（正方形に近似）の支持部本体６１が形成されてタイルパネルＰ２の重量を下方から支持可能に構成されている。また前面板６１ａから内面側に延長された前面延長部６２ａと、背面板６１ｂから内面側に延長された背面延長部６２ｂと、枠本体６１の内面板６１ｃとでガラス繊維含有コンクリートが充填される充填凹部６２が形成されている。さらに、前面延長部６２ｂと背面延長部６２ｂの先端部に沿って充填凹部６２内に突出された抜け止め突部６３ａ，６３ｂが形成されている。
【００３９】
前記中間取付枠材３Ｓは、図２１に示すように、背面側からタイルパネルＰ２を倒れ止めするために、後述する固定ビスを打ち込んで連結可能な取付枠本体７１が左右の側枠材３Ｒ，３Ｌ間にわたって設けられ、この取付枠本体７１は、タイル表装部２の背面に面する前面板７１ａと下辺補強部４ｄの背面に露出する背面板７１ｂと、上下の側面板７１ｃ，７１ｄとで矩形断面に形成されて埋め込まれている。また前面板７１ａからタイル表装部２の背面に沿って上下両側にそれぞれ延長された前面延長部７２ａ，７３ａと、背面板７１ｂからパネル背面に沿って上下両側に延長された背面延長部７２ｂ，７３ｂと、取付枠本体７１の側面板７１ｃ，７１ｄとでガラス繊維含有コンクリートが充填される充填凹部７２，７３がそれぞれ形成されている。さらに前面延長部７２ａ，７３ａと背面延長部７２ｂ，７３ｂの先端部に沿って、充填凹部６２内に突出された抜け止め突部７４ａ，７４ｂ，７５ａ，７５ｂが形成されている。
【００４０】
上記タイルパネルＰ２の取付装置を説明する。
前記床部躯体８０は、図１４に示すように、たとえば建物から突出される片持ち状の水平支持梁８０ａに、前面フレーム８０ｂと前後フレーム８０ｃが取り付けられ、防水床８０ｄなどが取り付けられる。
【００４１】
床部躯体８０の前面フレーム８０ｂには、タイルパネルＰ２の幅に対応する間隔をあけてベランダ支柱８１が立設されている。各ベランダ支柱８１には、図１８に示すように、背面の下端部近傍に取付部材８２が固着されており、取付部材８２が前面フレーム８０ｂにボルトにより連結固定されている。またベランダ支柱８１の底部には、その底面に固着される水平板８３ａと、ベランダ支柱８１の前面と面一状に垂下された垂直板８３ｂと、垂直板８３ｂの先端部から水平に折り曲げられたパネル受け部８３ｃからなるパネル支持具８３が取り付けられている。さらに図１４，図１９に示すように、タイルパネルＰ２の支持枠材３Ｄとパネル支持具８３とを下方から覆う見切縁材８４と、床部躯体８０を下方から覆う軒天部材８０ｅが取り付けられる。
【００４２】
ベランダ支柱８１には、図１５に示すように、左右一対の支柱カバー材１７が外嵌され、縦レール材２１がそれぞれ取り付けられている。そして縦レール材２１の嵌合空間５４に左右の側枠材３Ｒ，３Ｌの被係合部３７が嵌め込まれて保持されている。
【００４３】
左右の支柱カバー材１７間にわたって、タイルパネルＰ２の中間取付枠材３Ｓに対応位置に中間取付枠材３Ｓに連結されてタイルパネルＰ２を保持する下桟部材（連結支持部材）８６が連結固定されている。
【００４４】
次に上記タイルパネルＰ２をベランダ手摺壁に取り付ける手順を説明する。
床部躯体８０の前面フレーム８０ｂに、取付部材８２を介してベランダ支柱８１が立設固定される。次いで分離状態の左右の支柱カバー材１７に、縦レール材２１と、下桟部材８６および上枠材２３、笠木受け材２５を連結して矩形枠状に形成する。そしてベランダ支柱８１間に、支柱カバー材１７を介して前記矩形枠をそれぞれ上方から嵌め込んで、左右の支柱カバー材１７を連結し、さらにベランダ支柱１１の上端部で固定具２２により支柱カバー材１７，１７を固定する。
【００４５】
そして、タイルパネルＰ２の側枠材３Ｒ，３Ｌの被係合部３７を縦レール材２１，２１の嵌合空間５４に上方から嵌め入れ、下方にスライドさせて下辺部をパネル支持具８３のパネル受け部８３ｃに支持させる。次いで、固定ビス８７により下桟部材８６と中間取付枠材３Ｓとを連結固定し、さらに見切縁材８４と軒天部材８５が取り付けられる。下桟部材８６と防水床８０ｄとがビスにより連結される。さらにタイルパネルＰ２の上辺に嵌合させた上辺カバー材２４を上枠材２３にビス止めする。次いで笠木受け材２５に手摺用の笠木材２５を取り付ける。
【００４６】
上記実施の形態２によれば、実施の形態１と同様の作用効果を奏することができる。
また壁本体１の下辺に支持枠材３Ｄを埋め込み、支持枠材３Ｄにガラス繊維含有コンクリートが充填される充填凹部３１と抜け止め突部３２とを形成したので、支持枠材３Ｄをガラス繊維含有コンクリートに十分な結合力で結合されて壁本体１内に一体化でき、またベランダ支柱８１の下端部にパネル支持具８３を介して支持することで、タイルパネルＰ２の重量を支持して床部躯体８０の前面を覆うことができる。また中間取付枠材３Ｓと下桟部材８６とを連結することで、タイルパネルＰ２を倒れ止めして保持することができ、躯体８０の手摺壁として軽量のタイルパネルＰ２を容易かつ短時間に組み付けることができる。
【図面の簡単な説明】
【００４７】
【図１】（ａ），（ｂ）は本発明に係るベランダ手摺壁用のタイルパネル取付装置の実施の形態１を示し、（ａ）はベランダの全体正面図、（ｂ）はベランダの全体平面図である。
【図２】（ａ），（ｂ）はタイルパネルを示し、（ａ）は正面側斜視図、（ｂ）は背面側斜視図である。
【図３】同タイルパネル取付装置の縦断面図である。
【図４】同タイルパネル取付装置の平面断面図である。
【図５】図４の要部拡大図である。
【図６】図３のＡ部拡大図である。
【図７】同ベランダ支柱の取付作業を説明する分解斜視図である。
【図８】図３のＢ部拡大図である。
【図９】同縦レールの装着作業を説明する分解斜視図である。
【図１０】同パネル連結材の装着作業を説明する分解斜視図である。
【図１１】同パネルカバーの装着作業を説明する分解斜視図である。
【図１２】（ａ），（ｂ）は本発明に係るベランダ手摺壁用のタイルパネル取付装置の実施の形態２を示し、（ａ）はベランダの全体正面図、（ｂ）はベランダの全体平面図である。
【図１３】（ａ），（ｂ）はタイルパネルを示し、（ａ）は正面側斜視図、（ｂ）は背面側斜視図である。
【図１４】同タイルパネル取付装置の縦断面図である。
【図１５】同タイルパネル取付装置の平面断面図である。
【図１６】図１４に示すＣ部拡大断面図である。
【図１７】図１４に示す支柱材部分のＣ部拡大断面図である。
【図１８】同ベランダ支柱の取付作業を説明する正面側分解斜視図である。
【図１９】同タイルパネルの装着作業を説明する背面側分解斜視図である。
【図２０】同タイルパネルの装着作業を説明する正面側分解斜視図である。
【図２１】図１４に示すＤ部拡大断面図である。
【符号の説明】
【００４８】
Ｐ１，  Ｐ２  タイルパネル
１    壁本体
１ａ  薄肉部
２    タイル表装部（外装材）
２’  タイル表装シート
２ａ  タイル
２ｂ  表面シート
２ｃ  スリット  
２ｄ  目地溝充填材
３Ｒ，３Ｌ  側枠材
３Ｕ  横枠材    
４    補強部
４ｒ，４ｌ  縦辺補強部
４ｕ，４ｄ  横辺補強部
４ｓ    中央補強部
５    転倒防止用ナット
１０    床部躯体
１１    ベランダ支柱
１３    連結具
１４    カバー受け具
１６    化粧カバー材
１７    支柱カバー材
１９    下枠材
１９ａ  パネル受け
２１    縦レール材
２３    上枠材
２４    上辺カバー材
２５    笠木受け材
２６    笠木材
２７    縦桟材
２８    連結ボルト
３１    充填凹部
３２    抜け止め突部
３３    ガイド溝
４１    パネル連結材
３Ｄ    支持枠材
３Ｓ    中間取付枠材
４ｔ    中間補強部
６１    支持部本体
６２    充填凹部
６３ａ，６３ｂ  抜け止め突部
７１    取付枠本体
７２，７３  充填凹部
７４ａ，７４ｂ  抜け止め突部
７５ａ，７５ｂ  抜け止め突部
８０    床部躯体
８１    ベランダ支柱
８２    取付部材
８４    見切縁材
８６ａ  桟本体
８６ｂ  取付板部
８７    固定ビス
【図１】
2006183246.tif 000003
【図２】
2006183246.tif 000004
【図３】
2006183246.tif 000005
【図４】
2006183246.tif 000006
【図５】
2006183246.tif 000007
【図６】
2006183246.tif 000008
【図７】
2006183246.tif 000009
【図８】
2006183246.tif 000010
【図９】
2006183246.tif 000011
【図１０】
2006183246.tif 000012
【図１１】
2006183246.tif 000013
【図１２】
2006183246.tif 000014
【図１３】
2006183246.tif 000015
【図１４】
2006183246.tif 000016
【図１５】
2006183246.tif 000017
【図１６】
2006183246.tif 000018
【図１７】
2006183246.tif 000019
【図１８】
2006183246.tif 000020
【図１９】
2006183246.tif 000021
【図２０】
2006183246.tif 000022
【図２１】
2006183246.tif 000023